(57)【要約】【課題】狭い庫内のオーブンや電子レンジから加熱調理された食器を指先で安全に取り出すことができ、指先にしっかり装着ができ脱着が容易な調理手袋を提供する。【解決手段】軟質ゴム或いは軟質樹脂を用い、親指とその他の指を挿入する指を覆う挿入部と手の平側に設けた接続部からなり、指を挿入する指穴には指を遊嵌し抜け落ちを防止する指押えが形成されたたことを特徴とする調理手袋。【選択図】  図１
2007100282.tif 000002
【特許請求の範囲】
【請求項１】
軟質ゴム或いは軟質樹脂を用い、親指とその他の指を挿入する指を覆う挿入部と手の平側に設けた接続部からなり、指を挿入する指穴には指を遊嵌し抜け落ちを防止する指押えが形成されたたことを特徴とする調理手袋。
【請求項２】
指を覆う挿入部の先端部表面に指を保護する金属の網を、嵌装または融接した請求項１の調理手袋。
【発明の詳細な説明】
【技術分野】
【０００１】  本発明は、加熱された食器や鍋を移動するときに指と手の平を防護する断熱道具、刃物を使用するときに指を防護する道具に関するものである。
【背景技術】
【０００２】  従来から、加熱された食器や鍋を移動するときの断熱に用いる道具は、布巾、布製耐熱手袋、ゴム製耐熱手袋があった。また、人差指と中指のサック部に耐熱素材を用いたヘアアイロン用手袋があった（特許文献１参照）。
【特許文献１】特開２００５−２２０４７６号広報
【発明の開示】
【発明が解決しようとする課題】
【０００３】  従来からある布製耐熱手袋やゴム製耐熱手袋耐熱手袋、ヘアアイロン用手袋には次のような問題点があった。
耐熱布や耐熱ゴムを用いた耐熱手袋は、手を入れ易くするため隙間が大きく設けられ指先を細かく動かすことができなかった。そのため、鍋の移動には便利でも狭い庫内のオーブンや電子レンジから加熱調理された食器を取り出すときは使い難くで注意が必要であった。ヘアアイロン用手袋は耐熱素材を人差指と中指のサック部に用いられており、食器を掴み取り出すために必用な親指の防護ができず調理で使用するのは危険である。
本発明は、これらの問題点を解決するためになされたものである。
【課題を解決するための手段】
【０００４】  断熱素材である軟質ゴム或いは軟質樹脂を用い、親指とその他の指を挿入する指を覆う挿入部と手の平側に設けた接続部からなり、指を挿入する指穴には指を遊嵌し抜け落ちを防止する指押えが形成されたことを特徴とする調理手袋である。刃物から指を防護するときには、指を覆う挿入部の先端部表面に指形の金属の網を嵌装する。或いはあらかじめ調理手袋へ融接し刃物防護専用の調理手袋。
以上を特徴とする調理手袋である。
【発明の効果】
【０００５】  物を掴むときに必用とする主要な指と手の触れそうな局部を断熱素材で防護し、指先にしっかり装着でき脱着が容易な調理手袋は、狭い庫内のオーブンや電子レンジから加熱調理された食器を指先で支え使い易く安全に取り出すことができる。刃物を使用するときは、指を覆う金属の網により指先を防護することができる。
【発明を実施するための最良の形態】
【０００６】  以下、本発明の実施の形態にについて説明する。
（イ）調理手袋は、軟質ゴムのシリコンーンゴム或いは軟質樹脂のエラストマーによる断熱素材を用いる。
（ロ）親指と人差指と中指の、三本の指を覆う指の挿入部（１）と、手の平側に設けた接続部（２）からなっている。
（ハ）指の挿入部（１）は、３０ミリ〜４０ミリの指が第一間接より深く入る深さで、指が遊嵌する指穴（３）が形成されている。
（ニ）指穴（３）の指の背側には指の抜け落ちを防止する指押え（４）が指穴（３）の内側に凸設され、指の表側には食器や食べ物を掴み滑り難くする滑り止め（５）が凸設されている。
本発明は以上のような構成で、これを使用するときは、調理手袋の指の挿入部（１）へ、接続部（２）が手の平側となるように親指と人差指と中指を挿入し使用する。遊嵌する指穴（３）には指押え（４）が凸設されているため誰の指にも装着ができ抜け落ちない。
本発明の調理手袋は、断熱素材を用いたことによりオーブンや電子レンジで加熱調理された食器を三本の指で取り出すことができ、接続部（２）により手の平への接触を防ぎ、指の表側に凸設された滑り止め（５）により食器の滑落を防止することができる。
本発明の調理手袋は、脱着が容易で主要な指の指先を囲い込み指にしっかりと装着ができ、指先を防護する手袋として使用すれば包丁による野菜の千切りや果実の皮剥き、スライサーによる野菜のスライスなどの作業を安全に行うことができる。
指先の防護を確実にするために、指の挿入部（１）の先端部表面に指形の金属の網（６）を嵌装し使用することができる。
【実施例１】  図１に示すものは、三本の指の挿入部（１）と、手の平側に設けた接続部（２）から成り、指の挿入部（１）に指が遊嵌する指穴（３）が形成されている。指の表側には滑り止め（５）が凸設され、指の背側の指穴（３）の内側には指の抜け落ちを防止する指押え（４）が凸設された請求項１の調理手袋である。
【実施例２】  図５に示すものは、指先の防護を確実にするために、指の挿入部（１）の先端部表面に指形の金属の網（６）が装着された請求項１の調理手袋である。
【実施例３】  図４に示す断面となる、指の挿入部（１）とされた請求項１の調理手袋ができる。
【実施例４】  図６に示すものは、簡単で略式な仕様となる指の挿入部（１）が親指と人差指の二個所に設けられた請求項１の調理手袋である。
【実施例５】  図７に示すものは、手の平側に設けた接続部（２）が扇状の平面に形成され、指の挿入部（１）が設けられている。扇状の平面中央を中指位置（２ａ）、扇状の平面外側を小指位置（２ｂ）として使用する安全性を高めた請求項１の調理手袋である。
【実施例６】  図８に示すものは、手の平側に設けた接続部（２）が四角い平面に形成され、親指と人差指二本の指の挿入部（１）が設けた安全性を高めた請求項１の調理手袋である。
【図面の簡単な説明】
【０００７】
【図１】本発明の斜視図
【図２】本発明の平面図
【図３】本発明の裏側平面図
【図４】本発明の要部である指の挿入部の断面図
【図５】本発明の他の実施例を示す斜視図
【図６】本発明の他の実施例を示す平面図
【図７】本発明の他の実施例を示す平面図
【図８】本発明の他の実施例を示す平面図
【符号の説明】
【０００８】１      指の挿入部
２      接続部
３      指穴
４      指押え
５      滑り止め
６      金属の網
２ａ    中指位置
２ｂ    小指位置
【図１】
2007100282.tif 000003
【図２】
2007100282.tif 000004
【図３】
2007100282.tif 000005
【図４】
2007100282.tif 000006
【図５】
2007100282.tif 000007
【図６】
2007100282.tif 000008
【図７】
2007100282.tif 000009
【図８】
2007100282.tif 000010
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
軟質ゴム或いは軟質樹脂を用い、親指とその他の指を遊嵌する指穴を設け、指の挿入部と手の平側に設けた接続部が形成されたことを特徴とする調理手袋。
【請求項２】
指を遊嵌する指穴に、抜け落ちを防止する指押えが指穴の内側に凸設されたことを特徴とする、請求項１の調理手袋。
【請求項３】
指を覆う挿入部の先端部表面に、指を保護する金属の網を嵌装又は融接されたことを特徴とする請求項１、請求項２の調理手袋。